(57)【要約】      （修正有）【課題】ランプモジュールを換気扇に統合することによって、天井の使用スペースを削減し、スペースの利用率を向上させることができるランプ付きの換気扇を提供する。【解決手段】ランプ付きの換気扇１は天井Ｃに取り付けられる。天井Ｃは取付開口部を有する。換気扇はハウジング１１と、ファンモジュール１２と、ランプモジュール１３とを有する。ハウジング１１は第１開口部１１１と第２開口部１１２を有する。ファンモジュール１２はハウジング１１内に収容される。ランプモジュール１３は取付開口部と第１開口部１１１を挿通する。ランプモジュール１３はランプカバー１３１を備える。ランプカバー１３１は凸縁部１３１１と複数の凸縁部１３１１に接続する当接部１３１２を有する。複数の当接部１３１２は天井Ｃに当接することで、ランプカバー１３１と天井Ｃとの間にギャップを形成させる。ギャップは換気扇の吸入口Ｉである。【選択図】図１Ｂ
2016080341.tif 000002
【特許請求の範囲】
【請求項１】
第１開口部と第２開口部を有するハウジングと、
前記ハウジング内に収容されるファンモジュールと、
前記第１開口部を挿通するランプモジュールとを備え、
前記ランプモジュールは、ランプカバーを備え、前記ランプカバーは凸縁部と複数の前記凸縁部に接続する当接部を有し、前記凸縁部と前記複数の当接部は前記ハウジングの外側に位置し、前記複数の当接部の間には複数の隙間が形成され、前記複数の隙間は前記換気扇の吸入口であることを特徴とする
ランプ付きの換気扇。
【請求項２】
前記複数の当接部の前記凸縁部より遠く離れた一端は連結部材によって接続されることを特徴とする
請求項１に記載のランプ付きの換気扇。
【請求項３】
前記ランプモジュールは、
前記ランプカバーに設置すると同時に、前記ハウジング内に位置するベースと、
前記ベースと対向して設置され、且つ前記ランプカバーに連結するレンズとを更に備えることを特徴とする
請求項１に記載のランプ付きの換気扇。
【請求項４】
前記ファンモジュールは、
吸入開口と排出開口を有し、前記排出開口が前記第２開口部に連通するファンケーシングと、
前記ファンケーシング内に収容されるインペラと、
前記インペラに連結し、且つ前記インペラを駆動して回転させるモータとを更に備えることを特徴とする
請求項１に記載のランプ付きの換気扇。
【請求項５】
前記モータと前記インペラの外径は、それぞれ前記第１開口部の内径より小さいことを特徴とする
請求項４に記載のランプ付きの換気扇。
【請求項６】
前記ファンモジュールの少なくとも半分以上の体積は、前記第１開口部の投影面に位置することを特徴とする
請求項１に記載のランプ付きの換気扇。
【請求項７】
前記ハウジングは、２つのスロットを有する延長部を更に備え、前記複数の延長部は前記ハウジング内に設置されることを特徴とする
請求項１に記載のランプ付きの換気扇。
【請求項８】
前記ランプモジュールは複数の弾性部材によって、前記複数のスロットを挿通し前記第１開口部に固定されることを特徴とする
請求項７に記載のランプ付きの換気扇。
【請求項９】
前記複数の当接部の高さは５ｍｍから１５ｍｍの間にあることを特徴とする
請求項１に記載のランプ付きの換気扇。
【発明の詳細な説明】
【技術分野】
【０００１】
本発明は、換気扇に関し、特に、ランプ付きの換気扇に関する。
【背景技術】
【０００２】
今では、ノイズを減らし、熱を遮断しつつクーラーの外漏れを防止するために、建物において、特殊な建築材料を使用して無換気の部屋を作成することはよく知られている。  
したがって、建物の換気量が不足するため、人体にとって有害な汚染物質を排除することができない。
【０００３】
屋内の空気対流を改善するために、多くの建物は換気扇を取り付けて、フレッシュな空気を維持する。  
しかしながら、換気扇は大抵、換気機能のみを有し、他の機能を有していないため、スペースの利用率が比較的に低い。
【発明の概要】
【発明が解決しようとする課題】
【０００４】
上記課題に鑑み、本発明の目的は、天井の使用スペースを削減し、スペースの利用率を向上させることができるランプ付きの換気扇を提供することを課題とする。
【課題を解決するための手段】
【０００５】
本発明に係るランプ付きの換気扇は天井に取り付けられる。  
天井は取付開口部を有する。  
換気扇はハウジングと、ファンモジュールと、ランプモジュールとを有する。  
ハウジングは第１開口部と第２開口部を有する。  
第１開口部は取付開口部に揃える。  
ファンモジュールはハウジング内に収容される。  
ランプモジュールは取付開口部と第１開口部を挿通する。  
ランプモジュールはランプカバーを備える。  
ランプカバーは凸縁部と複数の凸縁部に接続する当接部を有する。  
凸縁部と前記複数の当接部は天井のハウジングより遠く離れた一側に位置する。  
前記複数の当接部は前記天井に当接することで、前記ランプカバーと前記天井との間にギャップを形成させる。  
ギャップは換気扇の吸入口である。
【０００６】
一実施例において、前記複数の当接部は天井の一端に当接すると同時に、連結部材によって接続される。
【０００７】
一実施例において、ランプモジュールはベースとレンズを更に備える。  
ベースはランプカバーに設置されると同時に、ハウジング内に位置する。  
レンズとベースは対向して設置され、且つランプカバーに連結する。
【０００８】
一実施例において、ファンモジュールはファンケーシングとインペラ、及びモータとを備える。  
ファンケーシングは吸入開口と排出開口を有する。  
排出開口は第２開口部に連通する。  
インペラはファンハウジング内に収容される。  
モータはインペラに連結し、且つインペラを駆動して回転させる。
【０００９】
一実施例において、モータとインペラの外径は、それぞれ第１開口部の内径より小さい。
【００１０】
一実施例において、ファンモジュールの少なくとも半分以上の体積は、第１開口部の投影面に位置する。
【００１１】
一実施例において、ハウジングは２つのスロットを有する延長部を更に備え、前記複数の延長部はハウジング内に設置される。
【００１２】
一実施例において、ランプモジュールは複数の弾性部材によって、ハウジングの延長部のスロットを挿通し第１開口部に固定される。
【００１３】
一実施例において、ギャップの距離は５ｍｍから１５ｍｍの間にある。
【００１４】
本発明に係るランプ付きの換気扇はハウジングと、ファンモジュールと、ランプモジュールとを有する。  
ハウジングは第１開口部と第２開口部を有する。  
ファンモジュールはハウジング内に収容される。  
ランプモジュールは第１開口部に挿通する。  
ランプモジュールはランプカバーを備える。  
ランプカバーは凸縁部と複数の凸縁部に接続する当接部を有する。  
凸縁部と前記複数の当接部はハウジングの外側に位置する。  
前記複数の当接部の間には複数の隙間が形成される。  
前記複数の隙間は換気扇の吸入口である。
【００１５】
一実施例において、前記複数の当接部の前記凸縁部より遠く離れた一端は連結部材によって接続される。
【００１６】
一実施例において、ランプモジュールはベースとレンズを更に備える。  
ベースはランプカバーに設置されると同時に、ハウジング内に位置する。  
レンズはベースに対向して設置され、且つランプカバーに連結する。
【００１７】
一実施例において、ファンモジュールはファンケーシング、インペラ及びモータを備える。  
ファンハウジングは吸入開口と排出開口を有する。  
排出開口は第２開口部に連通する。  
インペラはファンケーシング内に収容される。  
モータはインペラに連結し、且つインペラを駆動して回転させる。
【００１８】
一実施例において、モータとインペラの外径は、それぞれ第１開口部の内径より小さい。
【００１９】
一実施例において、ファンモジュールの少なくとも半分以上の体積は、第１開口部の投影面に位置する。
【００２０】
一実施例において、ハウジングは２つのスロットを有する延長部を更に備え、前記複数の延長部はハウジング内に設置する。
【００２１】
一実施例において、ランプモジュールは複数の弾性部材によって、ハウジングの延長部のスロットを挿通し第１開口部に固定される。
【００２２】
一実施例において、前記複数の当接部の高さは５ｍｍから１５ｍｍの間にある。
【発明の効果】
【００２３】
上記より、本発明は、ランプモジュールを換気扇に統合することによって、天井の使用スペースを削減し、スペースの利用率を向上させることができる。
【図面の簡単な説明】
【００２４】
【図１Ａ】本発明の第１実施例に係るランプ付きの換気扇の外観概略図である。
【図１Ｂ】図１Ａに示される換気扇の断面図である。
【図１Ｃ】図１Ａに示される換気扇の分解図である。
【図２】ランプモジュールとハウジングの連結概略図である。
【図３Ａ】本発明の第２実施例に係るランプ付きの換気扇の外観概略図である。
【図３Ｂ】図３Ａに示される換気扇の断面図である。
【図３Ｃ】換気扇の他の実施態様の断面図である。
【図４】本発明の第３実施例に係るランプ付きの換気扇の断面図である。
【００２５】
関連する図面を参照しながら、本発明の好ましい実施例に係るランプ付きの換気扇を以下の通りに説明し、このうち同じ部材は同じ符号を付して説明する。
【実施例１】
【００２６】
図１Ａは本発明の第１実施例のランプ付きの換気扇の外観概略図である。  
図１Ｂは図１Ａに示される換気扇の断面図である。  
図１Ｃは図１Ａに示される換気扇の分解図である。  
図１Ａと、図１Ｂと、図１Ｃを参照されたい。  
ランプ付きの換気扇１（以下、換気扇１と称する）は天井Ｃに取付けられ、天井Ｃは取付開口部Ｃ１を有する。  
図を明瞭にさせ、説明し易いように、本発明の好ましい実施例の換気扇が図面において、天井の一部のみを表示する。  
ここにおいて、換気扇１は、ハウジング１１と、ファンモジュール１２と、ランプモジュール１３を備える。  
また、本実施例の換気扇１は、２つの取付ブラケット１４を更に備え、取付ブラケット１４は、例えば、ねじによって螺合し、ハウジング１１と天井Ｃを連接することで、ハウジング１１を天井Ｃに固定させるものであるが、これに限定されない。
【００２７】
本実施例において、ハウジング１１は、大抵、六面状のボックス構造であり、且つ第１開口部１１１と第２開口部１１２を有する。  
第１開口部１１１と第２開口部１１２はそれぞれハウジング１１の異なる平面に位置する。  
其の他の実施例において、ハウジング１１は円筒状のボックス構造であり、ここにおいては、制限されない。  
第１開口部１１１は天井Ｃの取付開口部Ｃ１に揃え、第２開口部１１２は換気扇１の排出口である。
【００２８】
ファンモジュール１２はハウジング１１内に収容される。  
本実施例において、ファンモジュール１２はファンケーシング（fan casing）１２１と、インペラ１２２と、モータ１２３とを備える。  
インペラ１２２はファンケーシング１２１内に収容される。  
モータ１２３はインペラ１２２に連結し、且つインペラ１２２を駆動して回転させる。  
ファンケーシング１２１は吸入開口１２１１と排出開口１２１２を有し、排出開口１２１２は第２開口部１１２に連通する。  
インペラ１２２とモータ１２３は、螺合、または係合する方式によって、ファンケーシング１２１内に固定することができる。
【００２９】
本実施例において、ハウジング１１は、第１開口部１１１において、天井Ｃに向けて延伸する環状壁部１１３を有する。  
環状壁部１１３の高さは天井Ｃの厚さより小さいか、または等しいと同時に、環状壁部１１３の外径は、取付開口部Ｃ１の内径より小さいか、または等しい。  
よって、ハウジング１１は天井Ｃによって、環状壁部１１３に固定されるため、水平変位を回避することができる。
【００３０】
ランプモジュール１３は、取付開口部Ｃ１と第１開口部１１１を挿通する。  
本実施例において、ランプモジュール１３は、ランプカバー１３１と、ベース１３２と、レンズ１３３とを備える。  
ベース１３２はランプカバー１３１に設置され、且つハウジング１１内に位置する。  
レンズ１３３はベース１３２に対向して設置されると同時に、ランプカバー１３１に連結する。  
ここにおいて、レンズ１３３がランプカバー１３１上のハウジング１１より遠く離れた一側に設置される場合を例とし、つまり、ランプカバー１３１がレンズ１３３とベース１３２との間に設置された場合を例とする。  
本実施例において、ベース１３２には発光素子１３２１が設置され、発光素子１３２１は例えば、電球、または発光ダイオードランプ（LED lamp）である。  
また、ランプモジュール１３は、放熱素子１３４を更に備え、この放熱素子１３４は、例えば、放熱フィンであり、ベース１３２上の発光素子１３２１に相対する他側に設置されることで、放熱を行う。
【００３１】
ランプカバー１３１は凸縁部１３１１と複数の凸縁部１３１１に接続する当接部１３１２を有する。  
凸縁部１３１１と当接部１３１２はハウジング１１の外側に位置し、特に、天井Ｃのハウジング１１より遠く離れた一側に設置される。  
この凸縁部１３１１の外径は取付開口部部Ｃ１よりも大きい。  
本実施例において、凸縁部１３１１の延伸方向は、大抵、天井Ｃに平行する。  
前記複数の当接部１３１２の間には複数の隙間が形成されると同時に、前記複数の当接部１３１２は、天井Ｃに当接することで、ランプカバー１３１と天井Ｃの間にギャップを形成させる。  
このギャップは換気扇１の吸入口Ｉであり、且つサイドエントリー吸入口である。  
したがって、複数の当接部１３１２が天井Ｃを当接することによって、換気扇１を比較的に厚い天井に取り付けられても、または比較的に薄い天井に取り付けられても、吸入口Ｉは、当接部１３１２を天井Ｃに当接させることで形成されるため、吸入口Ｉを固定した高さに保持することができる。  
つまり、吸入口Ｉの高さは当接部１３１２の高さによって決定する。  
当接部１３１２は柱状構造、テーパー構造、またはシート構造であり、ここにおいて、円筒形を例とするが、本発明を限定するものではない。  
また、当接部１３１２の高さ、またはランプカバー１３１と天井Ｃとの間のギャップの距離は５ｍｍから１５ｍｍとの間に介することができ、好ましいのは９ｍｍである。
【００３２】
全体から言えば、ファンモジュール１２が起動した場合、モータ１２３が回転して、インペラ１２２を駆動して回転させることで、室内の空気が吸入口Ｉを通過してハウジング１１内に入る。  
説明するべきことは、気流は、吸入口Ｉから取付開口部Ｃ１とランプカバー１３１との間のギャップに流れるとともに、第１開口部１１１とランプカバー１３１との間のギャップに流れ、つまり、ランプカバー１３１の外部からハウジング１１に流れる。  
次に、気流はファンケーシング１２１の吸入開口１２１１に流れ、且つ排出開口１２１２と第２開口部１１２を通過して排出する。  
また、ランプモジュール１３は、スイッチ（図示しない）を増設し、ユーザのニーズに応じてオン、またはオフにすることができる。  
本実施例においては、ランプモジュール１３を換気扇１に統合することによって、天井の使用スペースを削減し、スペースの利用率を向上させることができる。
【００３３】
本実施例において、ランプモジュール１３は、２つの弾性素子Ｅによって、ハウジング１１を挿通し第１開口部１１１に固定される。  
図１Ｂと図１Ｃを参照し、且つ図２を合わせて参照されたい。  
図２は、ランプモジュールとハウジングの連結概略図である。  
説明しやすいように、図２はハウジング１１の一部のみを表示する。  
弾性素子Ｅの概ねはＶ形構造の金属素子であり、湾曲部分はランプカバー１３１に接続され、弾性素子Ｅの両端はフック構造Ｅ１を有する。  
ハウジング１１は、２つのスロットＳを有する延長部１１４を更に備え、延長部１１４はハウジング１１内に設置され、スロットＳは延長部１１４に形成する。  
ここにおいて、ハウジング１１の第１開口部１１１にランプモジュール１３を取り付ける時では、弾性素子ＥをスロットＳに挿通し、且つフック構造Ｅ１を延長部１１４に係止させるようにしている。  
ランプモジュール１３を取り外す時では、ユーザーはランプモジュール１３を直接引っ張ることで、ツールの補助なしにランプモジュール１３を取り外すことができる。  
これによって、ランプモジュール１３を容易に取り外すことができるため、換気扇１の修理やメンテナンスに有利である。  
同時に、弾性素子Ｅの設計は、ユーザーがランプモジュール１３を取り外す過程において、ランプモジュール１３はフック構造Ｅ１によって、依然として延長部１１４に係止し、フローティング状態となって完全に取り外されることはない。  
仮に、ランプモジュール１３を完全に取り外す必要がある場合、弾性素子Ｅを押すだけで、取り外すことができる。
【００３４】
また、モータ１２３とインペラ１２２の外径は、それぞれ第１開口部１１１の内径よりも小さい。  
つまり、ユーザーは第１開口部１１１を通してモータ１２３とインペラ１２２をファンケーシング１２１から外すか、またはファンケーシング１２１に組み立てることで、ファンモジュール１２の修理やメンテナンスを有利にすることができる。
【００３５】
図１Ｂを続いて参照されたい。  
本実施例において、ファンケーシング１２１の吸入開口１２１１はファンケーシング１２１上の第１開口部１１１から遠く離れた一側の表面に位置する。  
つまり、吸入開口１２１１と第１開口部１１１はそれぞれ逆の方向に向けており、即ち、ファンモジュール１２は反転構造である。  
よって、ファンモジュール１２を反転構造にすることよって、浴室内に換気扇１を取り付ける時、水蒸気は吸入口Ｉから直接ファンモジュール１２内に入ることはないので、ファンモジュール１２及びその内部部品を湿気から保護することができる。
【実施例２】
【００３６】
図３Ａは本発明の第２実施例のランプ付きの換気扇の外観概略図である。  
図３Ｂは図３Ａに示す換気扇の断面図である。  
図３Ａと図３Ｂを参照されたい。  
本実施例の換気扇１ａと第１実施例は大抵、同様であり、主に異なるのは、ランプモジュール１３ａの前記複数の当接部１３１２ａの凸縁部１３１１より遠く離れた一端、即ち、天井Ｃに当接する一端は、連結部材１３５によって連結される。  
本実施例において、連結部材１３５は環状板であり、凸縁部１３１１に平行し、且つ間隔を置いて設置される。  
外観をより美しくするために、連結部材１３５は前記複数の当接部１３１２ａとともに天井Ｃに当接する。  
また、ハウジング１１とファンモジュール１２の説明は第１実施例を参照することができるので、ここで繰り返して述べない。
【００３７】
図３Ｃは換気扇の他の実施態様の断面図である。  
図３Ｃを参照されたい。  
本実施例と第２実施例は大抵、同様であり、主に異なるのは、レンズ１３３ａがランプカバー１３１とベース１３２との間に設置し、且つハウジング１１の内部に位置する点である。  
もちろん、レンズ１３３ａが第１開口部１１１に位置することで、レンズ１３３ａの一部分をハウジング１１の内部に位置させるようにし、レンズ１３３ａの他部分をハウジング１１の外部に露出させるようにすることもできる。
【実施例３】
【００３８】
図４は本発明の第３実施例のランプ付きの換気扇の断面図である。  
図４を参照されたい。  
本実施例の換気扇１ｂと第１実施例は大抵、同様であり、主に異なるのは、本実施例のハウジング１１ａのサイズを前述実施例のハウジング１１より小さくすることで、ファンモジュール１２の少なくとも半分以上の体積が第１開口部１１１の投影面に位置する点である。  
これによって、換気扇１ｂが天井層間に占めるスペースを削減し、更に、スペースの利用率を向上させることができる。  
また、ランプモジュール１３は第２実施例のランプモジュール１３ａと置き換えることができる。  
つまり、連結部材１３５を有するランプモジュール１３ａを、サイズが比較的に小さいハウジング１１ａに設置することができる。  
また、ファンモジュール１２とランプモジュール１３の説明は第１実施例を参照することができるので、ここで繰り返して述べない。
【００３９】
上記より、本発明はランプモジュールを換気扇に統合することによって、天井の使用スペースを削減し、スペースの利用率を向上させることができる。
【００４０】
上記実施例は例示的なものであって、限定するためのものではない。  
本発明の技術的思想および範囲から逸脱することなく行われる等価の修正または変更は、いずれも別紙の特許請求の範囲に含まれる。
【産業上の利用可能性】
【００４１】
本発明は以上の如く構成したため、ランプモジュールを換気扇に統合することによって、天井の使用スペースを削減し、スペースの利用率を向上させることができるランプ付きの換気扇を提供し得るものである。
【符号の説明】
【００４２】
１、１ａ、１ｂ  換気扇
１１、１１ａ  ハウジング
１１１  第１開口部
１１２  第２開口部
１１３  環状壁部
１１４  延長部
１２  ファンモジュール
１２１  ファンケーシング
１２１１  吸入開口
１２１２  排出開口
１２２  インペラ
１２３  モータ
１３、１３ａ  ランプモジュール
１３１  ランプカバー
１３１１  凸縁部
１３１２、１３１２ａ  当接部
１３２  ベース
１３２１  発光素子
１３３、１３３ａ  レンズ
１３４  放熱素子
１３５  連結部材
１４  取付ブラケット
Ｃ  天井
Ｃ１  取付開口部
Ｅ  弾性素子
Ｅ１  フック構造
Ｉ  吸入口
Ｓ  スロット
【図１Ａ】
2016080341.tif 000003
【図１Ｂ】
2016080341.tif 000004
【図１Ｃ】
2016080341.tif 000005
【図２】
2016080341.tif 000006
【図３Ａ】
2016080341.tif 000007
【図３Ｂ】
2016080341.tif 000008
【図３Ｃ】
2016080341.tif 000009
【図４】
2016080341.tif 000010